(57)【要約】【課題】透光部を操作体よりも大型化し、しかも、透光部を適切に装着できる加熱調理器における操作装置を提供する。【解決手段】操作パネルＰに形成した挿通孔を貫通する状態に装着される操作体６と、バーナの点消火状態により点灯状態と消灯状態とに切換えられる光源２９と、光源２９からの光を操作パネルＰの前方側に透光する透光部Ｑと、が設けられ、操作パネルＰから離間する側の端面を光源からの光を入射する光入射面Ｎとしかつ操作パネルＰに近接する側の端面を光投射面Ｍとする導光部材１５が設けられ、光投射面Ｍからの光を透光する透光部Ｑ及び当該透光部Ｑから径方向外方に延出する被支持部３０Ｂを備える透光部形成部材３０が、透光部Ｑを挿通孔の内周部に位置させ、かつ、被支持部３０Ｂをパネル本体８と化粧カバー体７との間に位置させる状態で操作パネルＰに設けられている。【選択図】図８
2020106197.tif 000002
【特許請求の範囲】
【請求項１】
操作パネルと、
前記操作パネルに形成した挿通孔を貫通する状態に装着され且つ操作パネル厚さ方向に移動操作される操作体と、
バーナの点消火状態により点灯状態と消灯状態とに切換えられる光源と、
前記光源からの光を前記操作パネルの前方側に透光する透光部と、が設けられた加熱調理器における操作装置であって、
前記操作パネルが、パネル本体と当該パネル本体の前面側を覆う状態に装着される化粧カバー体とから構成され、
前記操作パネルから離間する側の端面を前記光源からの光を入射する光入射面としかつ前記操作パネルに近接する側の端面を光投射面とする導光部材が、前記操作体を囲繞する状態で設けられ、
前記光投射面からの光を透光する前記透光部及び当該透光部から径方向外方に延出する被支持部を備える透光部形成部材が、前記透光部を前記挿通孔の内周部に位置させ、かつ、前記被支持部を前記パネル本体と前記化粧カバー体との間に位置させる状態で前記操作パネルに設けられていることを特徴とする加熱調理器における操作装置。
【請求項２】
前記導光部材が、前記操作体の前記操作パネル厚さ方向の移動により前記操作パネル厚さ方向に移動する状態で前記操作体に装着され、
前記操作体の前記操作パネル厚さ方向での往復移動により、前記導光部材にて開閉操作されるスイッチ部が設けられ、
前記光源が、前記スイッチ部の開閉に基づいて点灯状態と消灯状態とに切換えられるように構成されている請求項１に記載の加熱調理器における操作装置。
【請求項３】
前記被支持部が、前記化粧カバー体の裏面に貼着されている請求項１又は２に記載の加熱調理器における操作装置。
【請求項４】
前記被支持部が、前記透光部の周方向に分散配置された複数の舌片部にて構成され、
前記透光部の内周面に、前記操作体の外面を案内する複数の案内突起が前記透光部の周方向に分散する状態で形成され、
前記化粧カバー体の裏面に、前記舌片部を貼着する複数の貼着部が、前記透光部の周方向に沿って前記舌片部の設定貼着位置に分散配置させる状態で設けられている請求項３に記載の加熱調理器における操作装置。
【請求項５】
前記操作体が、前記操作パネル厚さ方向に沿う軸心回りでの回転操作により前記バーナに対する火力調節を行うように構成され、
前記操作パネルにおける前記操作体の上方箇所に、前記操作体の前記バーナに対する火力調節操作により照射状態と非照射状態とに切換えられる複数の火力表示用照射体が前記透光部の周方向に沿って並ぶ状態で設けられ、
前記複数の舌片部が、前記複数の火力表示用照射体の設置範囲を除いた範囲に、隣接する舌片部同士の間隔を異ならせる状態で前記透光部の周方向に沿って配置されている請求項４に記載の加熱調理器における操作装置。
【請求項６】
前記化粧カバー体における前記挿通孔に相当する箇所に、裏面側に突出するバーリングが形成され、
前記舌片部が、前記貼着部に対する適正向きのときに、前記貼着部に接近することを許容すべく前記バーリングが係入する凹部を備え、かつ、前記貼着部に対する適正向きとは異なるときに、前記バーリングとの接当により前記貼着部に接近することを牽制する牽制部を備える形態に構成されている請求項４又は５に記載の加熱調理器における操作装置。
【発明の詳細な説明】
【技術分野】
【０００１】
本発明は、操作パネルと、
前記操作パネルに形成した挿通孔を貫通する状態に装着され且つ操作パネル厚さ方向に移動操作される操作体と、
バーナの点消火状態により点灯状態と消灯状態とに切換えられる光源と、
前記光源からの光を前記操作パネルの前方側に透光する透光部と、が設けられた加熱調理器における操作装置に関する。
【背景技術】
【０００２】
かかる加熱調理器における操作装置は、例えば、加熱調理器としてのガスコンロにおいて、操作体の操作パネルの厚さ方向の往復移動により、コンロバーナの点火操作及び消火操作を行うために用いられるものである。
そして、コンロバーナの燃焼状態において光源を点灯状態にして、光源からの光を透光部から操作パネルの前方側に照射することにより、コンロバーナが燃焼状態であることを分かり易く表示できるようにしたものである。
【０００３】
かかる加熱調理器における操作装置の従来例として、透光部が操作体の前端に環状に形成されたものがある（例えば、特許文献１参照）。
つまり、操作体が、円筒状の導光部材と、その導光部材の外周部に位置する円筒状のつまみ本体と、導光部材の前端側開口に内嵌されるつまみ蓋とを備える形態に構成され、導光部材の前端部（前端面）にて、光源からの光を操作パネルの前方側に照射する透光部が環状に構成されている。
【先行技術文献】
【特許文献】
【０００４】
【特許文献１】特許第５２２１２５７号公報
【発明の概要】
【発明が解決しようとする課題】
【０００５】
従来では、透光部が操作体の前端に形成されるものであるから、透光部が操作体よりも小さな小型に形成されるため、透光部の照射状態が分かり難い虞があり、改善が望まれるものであった。
つまり、透光部の照射状態が分かり難いと、例えば、バーナが燃焼状態であるにも拘わらず、バーナが消火状態であると誤認識する等の不都合を発生する虞があり、改善が望まれるものであった。
【０００６】
本発明は、上記実情に鑑みて為されたものであって、その目的は、透光部を操作体よりも大型化し、しかも、透光部を適切に装着できる加熱調理器における操作装置を提供する点にある。
【課題を解決するための手段】
【０００７】
本発明の加熱調理器における操作装置は、操作パネルと、
前記操作パネルに形成した挿通孔を貫通する状態に装着され且つ操作パネル厚さ方向に移動操作される操作体と、
バーナの点消火状態により点灯状態と消灯状態とに切換えられる光源と、
前記光源からの光を前記操作パネルの前方側に透光する透光部と、が設けられたものであって、その特徴構成は、
前記操作パネルが、パネル本体と当該パネル本体の前面側を覆う状態に装着される化粧カバー体とから構成され、
前記操作パネルから離間する側の端面を前記光源からの光を入射する光入射面としかつ前記操作パネルに近接する側の端面を光投射面とする導光部材が、前記操作体を囲繞する状態で設けられ、
前記光投射面からの光を透光する前記透光部及び当該透光部から径方向外方に延出する被支持部を備える透光部形成部材が、前記透光部を前記挿通孔の内周部に位置させ、かつ、前記被支持部を前記パネル本体と前記化粧カバー体との間に位置させる状態で前記操作パネルに設けられている点にある。
【０００８】
すなわち、光源からの光が、操作体を囲繞する導光部材の光入射面から入射されることになり、導光部材の光投射面から投射される光が、操作パネルの挿通孔の内周部に設けた透光部を透過して、操作パネルの前面側に照射されることになる。
したがって、操作体よりも大径である大型の透光部より、操作パネルの前面側に光を照射することができるから、光の照射状態が分かり易いものとなり、その結果、バーナが燃焼状態であることが分かり易いものとなる。
【０００９】
しかも、光源からの光を、導光部材を通して、操作パネルに設けた透光部形成部材の透光部に導くものであるから、光源からの光を導光する導光部及び透光部を備える大型の単一の透光体を設けるに較べて、導光部材や透光部形成部材の設置（組付）が行い易いものとなる。
また、透光部形成部材を、透光部を挿通孔の内周部に位置させ、かつ、被支持部をパネル本体と化粧カバー体との間に位置させる状態で操作パネルに設けるものであるから、パネル本体と化粧カバー体との間で被支持部を適切に保持する形態で、透光部を挿通孔の内周部に位置させる適正な状態に装着することができる。
【００１０】
要するに、本発明の加熱調理器における操作装置の特徴構成によれば、透光部を操作体よりも大型化し、しかも、透光部を適切に装着できる。
【００１１】
本発明の加熱調理器における操作装置の更なる特徴構成は、前記導光部材が、前記操作体の前記操作パネル厚さ方向の移動により前記操作パネル厚さ方向に移動する状態で前記操作体に装着され、
前記操作体の前記操作パネル厚さ方向での往復移動により、前記導光部材にて開閉操作されるスイッチ部が設けられ、
前記光源が、前記スイッチ部の開閉に基づいて点灯状態と消灯状態とに切換えられるように構成されている点にある。
【００１２】
すなわち、導光部材を、操作体の操作パネル厚さ方向の移動により操作パネル厚さ方向に移動する状態で操作体に装着して、操作体の操作パネル厚さ方向での往復移動により、導光部材にてスイッチ部を開閉操作するようにする。
そして、スイッチ部の開閉に基づいて、光源を点灯状態と消灯状態とに切換えるようにする。
【００１３】
このように、導光部材を、スイッチ部を開閉操作する操作部材として兼用するものであるから、スイッチ部を開閉操作する専用の操作部材を設ける必要がなくなるため、構成の簡素化を図ることができる。
【００１４】
要するに、本発明の加熱調理器における操作装置の特徴構成によれば、構成の簡素化を図ることができる。
【００１５】
本発明の加熱調理器における操作装置の更なる特徴構成は、前記被支持部が、前記化粧カバー体の裏面に貼着されている点にある。
【００１６】
すなわち、透光部形成部材を操作パネル組付ける際に、先ず、被支持部を化粧カバー体に貼着し、透光部形成部材が貼着された化粧カバー体をパネル本体に装着する手順にて、透光部形成部材を操作パネルに装着することができる。
したがって、化粧カバー体における挿通孔に相当する箇所に、裏面側に突出するバーリングが形成されていても、透光部形成部材の損傷を回避できる。
【００１７】
つまり、透光部形成部材を操作パネル組付ける際に、先ず、被支持部をパネル本体に貼着し、次に、透光部形成部材が貼着されたパネル本体に対して、化粧カバー体を装着する手順にて、透光部形成部材を操作パネルに装着することが考えられるが、この場合、化粧カバー体における挿通孔に相当する箇所に、裏面側に突出するバーリングが形成されていると、このバーリングを透光部形成部材に接当させて、透光部形成部材を損傷させる虞がある。
【００１８】
要するに、本発明の加熱調理器における操作装置の特徴構成によれば、透光部形成部材の損傷を回避させながら、透光部形成部材を操作パネルに装着できる。
【００１９】
本発明の加熱調理器における操作装置の更なる特徴構成は、前記被支持部が、前記透光部の周方向に分散配置された複数の舌片部にて構成され、
前記透光部の内周面に、前記操作体の外面を案内する複数の案内突起が前記透光部の周方向に分散する状態で形成され、
前記化粧カバー体の裏面に、前記舌片部を貼着する複数の貼着部が、前記透光部の周方向に沿って前記舌片部の設定貼着位置に分散配置させる状態で設けられている点にある。
【００２０】
すなわち、複数の舌片部を複数の貼着部に貼着することにより、複数の案内突起の透光部の周方向における位置が適正な位置となるから、操作体を適正状態に案内することができる。
つまり、操作体の外面を案内する複数の案内突起の透光部の周方向における位置が適正な位置とは異なると、操作体の透光部に対する位置が、微小ではあるがずれてしまい、操作体を適正状態に案内できないものとなる虞があるが、透光部の周方向での位置が適正な位置にある複数の案内突起にて、操作体を適正状態に案内することができる。
【００２１】
特に、操作体が並んで複数設けられる場合において、各操作体を複数の案内突起にて適正状態に案内することができるため、各操作体の夫々と操作パネルとの位置関係を揃えることができ、各操作体を美麗な状態で装着できる。
【００２２】
要するに、本発明の加熱調理器における操作装置の特徴構成によれば、操作体を適正状態に案内することができる。
【００２３】
本発明の加熱調理器における操作装置の更なる特徴構成は、前記操作体が、前記操作パネル厚さ方向に沿う軸心回りでの回転操作により前記バーナに対する火力調節を行うように構成され、
前記操作パネルにおける前記操作体の上方箇所に、前記操作体の前記バーナに対する火力調節操作により照射状態と非照射状態とに切換えられる複数の火力表示用照射体が前記透光部の周方向に沿って並ぶ状態で設けられ、
前記複数の舌片部が、前記複数の火力表示用照射体の設置範囲を除いた範囲に、隣接する舌片部同士の間隔を異ならせる状態で前記透光部の周方向に沿って配置されている点にある。
【００２４】
すなわち、操作体を操作パネル厚さ方向に沿う軸心回りで回転操作することにより、バーナの火力調節を行うことができる。
そして、操作パネルにおける操作体の上方箇所に、操作体のバーナに対する火力調節操作により照射状態と非照射状態とに切換えられる複数の火力表示用照射体が透光部の周方向に沿って並ぶ状態で設けられているから、複数の火力表示用照射体の照射状態と非照射状態との切換えによって、バーナの火力を認識することができる。
【００２５】
しかも、複数の舌片部を、複数の火力表示用照射体の設置範囲を除いた範囲に設けることにより、操作体と複数の火力表示用照射体とを近接させた状態で配置することができるため、操作体により調節された火力を一層適切に認識させることができる。
【００２６】
さらには、複数の舌片部を、隣接する舌片部同士の間隔を異ならせる状態で透光部の周方向に沿って配置するものであるから、透光部形成部材を化粧カバー体に貼着する際に、透光部形成部材が適正な回転位相となるときにのみ、複数の舌片部を化粧カバー体の裏面の複数の貼着部に貼着させることができるものなり、結果的に、複数の案内突起にて操作体を適正状態に案内することができる。
【００２７】
要するに、本発明の加熱調理器における操作装置の更なる特徴構成によれば、バーナの火力を調節しながら、その調節された火力を適切に認識させることができ、しかも、透光部形成部材の複数の案内突起にて操作体を適正状態に案内することができる。
【００２８】
本発明の加熱調理器における操作装置の更なる特徴構成は、前記化粧カバー体における前記挿通孔に相当する箇所に、裏面側に突出するバーリングが形成され、
前記舌片部が、前記貼着部に対する適正向きのときに、前記貼着部に接近することを許容すべく前記バーリングが係入する凹部を備え、かつ、前記貼着部に対する適正向きとは異なるときに、前記バーリングとの接当により前記貼着部に接近することを牽制する牽制部を備える形態に構成されている点にある。
【００２９】
すなわち、透光部形成部材の舌片部が貼着部に対する適正向きのときに、舌片部が貼着部に接近することが許容されものの、透光部形成部材の舌片部が貼着部に対する適正向きとは異なるときには、牽制部によって、舌片部が貼着部に接近することが牽制されることになる。
【００３０】
したがって、透光部形成部材の舌片部が、貼着部に対する適正向きとは異なる状態で、貼着部に貼着されることを牽制して、透光部形成部材の舌片部が、貼着部に対する適正向きとなる状態でのみ、貼着部に貼着することができる。
【００３１】
要するに、本発明の加熱調理器における操作装置の更なる特徴構成によれば、透光部形成部材を、舌片部を貼着部に貼着させる適正状態に組付けることができる。
【図面の簡単な説明】
【００３２】
【図１】ガスコンロの斜視図
【図２】運転操作部の斜視図
【図３】操作パネルを外した状態の運転操作部の斜視図
【図４】操作パネル及び操作部装着枠を省略した状態の運転操作部の斜視図
【図５】操作体と基板との関係を示す側面図
【図６】操作体と基板との関係を示す斜視図
【図７】光源と導光部材との関係を示す背面図
【図８】操作体が突出状態の運転操作部の縦断側面図
【図９】操作体が引退状態の運転操作部の縦断側面図
【図１０】操作体と導光部材との関係を示す分解斜視図
【図１１】化粧カバー体の背面図
【図１２】パネル本体の正面図
【図１３】透光部形成部材の斜視図
【図１４】透光部形成部材を操作パネルに装着した状態の切欠斜視図
【図１５】透光部形成部材を表裏反転させて操作パネルに装着した状態の切欠斜視図
【発明を実施するための形態】
【００３３】
以下、本発明の実施形態を図面に基づいて説明する
【００３４】
（ガスコンロの全体構成）
図１に示すように、例示する加熱調理器としてのガスコンロは、コンロ本体Ｈの上面部に、鍋ややかん等の調理容器を加熱する加熱部として、３つのコンロバーナ１（バーナの一例）を備え、コンロ本体Ｈの内部のグリル部Ｇに、グリルバーナ（バーナの一例、図示せず）を備える状態に構成され、そして、キッチンカウンターに組み込まれるビルトインタイプに構成されている。
【００３５】
３つのコンロバーナ１は、左側に配設される高火力バーナ１Ａ、右側に配設される標準バーナ１Ｂ、及び、横幅方向の中央の奥側箇所に配設される小火力バーナ１Ｃである。
各コンロバーナ１には、鍋等の調理容器を載置するための五徳２が配置されている。
【００３６】
ガスコンロの上面は、ガラス製のトッププレート３にて覆われ、ガスコンロの上面の後部側には、グリル部Ｇの燃焼排ガスを排気するためのグリル排気口４が形成されている。
また、五徳２がトッププレート３の上部に載置されている。
【００３７】
（ガスコンロの操作構成）
図１に示すように、ガスコンロの前面部の右側箇所には、３つのコンロバーナ１に対する運転操作部Ｊが設けられている。
すなわち、図２及び図３に示すように、ガスコンロの前面部の右側箇所に、コンロ本体Ｈの内部に組み込まれる形態で合成樹脂製の操作部装着枠Ｂが設けられ、その操作部装着枠Ｂの上方側箇所がパネル装着部Ｂｐとして構成され、当該パネル装着部Ｂｐの前面側箇所に、長方形状の操作パネルＰが装着されている。
【００３８】
操作パネルＰは、左右方向の一端（左端）を操作部装着枠Ｂに係止し、かつ、左右方向の他端側（右端側）に設けた係合体Ｐａを上下方向のスライド操作により操作部装着枠Ｂの係合させた状態で、パネル装着部Ｂｐに装着されている。
そして、操作パネルＰに形成した挿通孔５を貫通する状態で、３つの円柱状の操作具６（操作体の一例）が設けられている。ちなみに、操作具６の円柱状とは、操作具６の外周面が円筒状であることを意味するものである。
【００３９】
操作パネルＰが、合成樹脂製のパネル本体７（図１２参照）と当該パネル本体７の前面側を覆う状態に装着される金属製の化粧カバー体８（図１１参照）とを重ね合わせた状態に構成されている。
つまり、図１１に示すように、化粧カバー体８の裏面には、当該化粧カバー体８をパネル本体７に貼着するための粘着性を有する装着用貼着部８ｓが略全面に亘って形成され、化粧カバー体８をパネル本体７に重ね合わせた状態で、化粧カバー体８が装着用貼着部８ｓにてパネル本体７に貼着されるように構成されている。尚、装着用貼着部８ｓは、両面テープを用いて構成されている。
【００４０】
化粧カバー体８における挿通孔５に相当する箇所に、裏面側に突出する円筒状のバーリング８ｂが形成され（図１１及び図１４参照）、パネル本体７における挿通孔５に相当する箇所に、挿通孔５を形成するための円筒状の開口部７ａが形成されている（図１２及び図１４参照）。
【００４１】
図１及び図２に示すように、３つの操作具６として、左側から右側に向けて、高火力バーナ１Ａに対する高火力用操作具６Ａ、小火力バーナ１Ｃに対する小火力用操作具６Ｃ、及び、標準バーナ１Ｂに対する標準用操作具６Ｂが配設されている。
各操作具６は、対応するコンロバーナ１に対する点消火操作のために、操作パネル厚さ方向に移動操作され、かつ、対応するコンロバーナ１に対する火力調節のために、操作パネル厚さ方向に沿う軸心回りで回転操作されるように構成されている。
【００４２】
つまり、各操作具６は、前端面が操作パネルＰの前面に相当する箇所に位置する消火状態において、操作パネルＰの内方側に少しだけ押圧移動操作させたのち、内方側への押圧操作を解除すると、前端面が操作パネルＰの前面よりも前方側にする燃焼操作状態なり、その燃焼操作状態において、操作パネルＰの内方側に向けて押し移動操作させたのち、内方側への押圧操作を解除すると、消火状態に戻るように構成されている。
【００４３】
そして、燃焼操作状態において、コンロバーナ１に対する燃料供給を開始しかつ点火プラグ（図示せず）を点火作動させて、コンロバーナ１を着火して燃焼状態に切換えるように構成され、また、消火操作状態において、コンロバーナ１に対する燃料供給を停止して、コンロバーナ１の燃焼を停止する消火状態に切換えるように構成されている。
【００４４】
つまり、各操作具６に対応して、周知のハートカムを用いたプッシュプッシュ機構（図示せず）が装備されて、各操作具６が、燃焼操作状態及び消火操作状態に切換えられるように構成されている。
また、各操作具６は、燃焼操作状態において、操作パネル厚さ方向に沿う軸心回りで正逆に回転操作することにより、コンロバーナ１の火力を調節するように構成されている。
【００４５】
図４、図５及び図８に示すように、パネル装着部Ｂｐの背部箇所には、前側基板９及び操作具支持板１０の夫々が、パネル装着部Ｂｐに連結支持される状態で設けられ、さらに、図４〜図６に示すように、操作具支持板１０の背部側箇所に、後側基板１０Ｋが操作具支持板１０に連結支持される状態で設けられている。
ちなみに、操作具支持板１０は、図６に示すように、スイッチ操作や光の透過のために多孔状に形成されている。
【００４６】
図３に示すように、パネル装着部Ｂｐの上方側の右側箇所に、押し操作式の電源スイッチ操作体１１が設けられ、この電源スイッチ操作体１１が、図１及び図２に示すように、操作パネルＰのスイッチ挿通孔１２（図１１及び図１２参照）を貫通して、操作パネルＰの前方側に露出するように構成されている。
また、図４に示すように、前側基板９における電源スイッチ操作体１１の背部に相当する箇所に、電源スイッチ１１Ｓが設けられ、この電源スイッチ１１Ｓが、電源スイッチ操作体１１にて押し操作されるように構成されている。
【００４７】
そして、電源スイッチ１１Ｓが入り操作されると、ガスコンロの運転を制御する運転制御部（図示せず）に対して運転制御を実行するための電力が供給されるように構成されている。
ちなみに、化粧カバー体８におけるスイッチ挿通孔１２に相当する箇所に、裏面側に突出する角筒状バーリング８ｄが形成され（図１１参照）、パネル本体７のスイッチ挿通孔１２に相当する箇所に、スイッチ挿通孔１２を形成するためのスイッチ用開口部７ｂが形成されている（図１２参照）。
【００４８】
また、図１及び図２に示すように、操作部装着枠Ｂにおける操作パネルＰの下方側に相当する箇所には、調理メニュー等の情報を入力するコンロ用設定操作部Ｄが、下端側を支点にした揺動により開閉自在に設けられている。尚、図１においては、コンロ用設定操作部Ｄの開状態を示し、図２においては、コンロ用設定操作部Ｄの閉状態を示す。
そして、コンロ用設定操作部Ｄの設定情報が、運転制御部に入力されている。
【００４９】
また、ガスコンロの前面の左側箇所、つまり、中央側に位置するグリル部Ｇの左側箇所には、グリルバーナに対するグリル用設定操作部Ｅが配設されている。
そして、このグリル用設定操作部Ｅの設定情報に基づいて、運転制御部が、グリルバーナの燃焼を制御されるように構成されている。
【００５０】
（操作具の詳細）
図５、図８及び図９に示すように、操作具支持板１０に、操作パネル厚さ方向に沿う軸心回りで回転自在な支持軸１３が設けられ、この支持軸１３に、中継部材１４が、一体回転自在にかつ操作パネルＰから離れる方向側への移動が受止支持された状態で外嵌されている。
図８及び図９に示すように、操作具６の内部に、筒状の連係部６Ｒが固定状態で設けられ、この連係部６Ｒに、中継部材１４が、操作パネル厚さ方向に沿う軸心回りで一体回転しかつ操作パネル厚さ方向に沿う方向に沿って相対移動自在に内嵌されている。
【００５１】
そして、連係部６Ｒと中継部材１４との間に、上述したプッシュプッシュ機構（図示せず）が装備されている。尚、連係部６Ｒが、プッシュプッシュ機構を構成するスプリングにて、操作パネルＰの前方側に向けて弾性付勢され、これにより、操作具６も操作パネルＰの前方側に向けて弾性付勢されている。
【００５２】
（スイッチ操作部材の詳細）
図５及び図６に示すように、操作具６における操作パネルＰよりも内方側の内方部分を覆う状態（囲繞する状態）でかつ操作具６の操作パネル厚さ方向の移動により操作パネル厚さ方向に移動する状態で操作具６に装着される円筒状のスイッチ操作部材１５が設けられている。
図８及び図９に示すように、スイッチ操作部材１５は、透明樹脂にて形成されて、操作パネルＰから離間する側の端面を、後述する燃焼表示用発光ダイオード２９からの光を入射する光入射面Ｎとし、かつ、操作パネルＰに近接する側の端面を光投射面Ｍとする筒状の導光部材として機能するように構成されている。
【００５３】
スイッチ操作部材１５の装着構成について説明を加えると、図１０に示すように、操作具６における操作パネルＰから離れる側の後端部の外周部に、４つのＵ字状の係合部６ｋが、周方向に等間隔を隔てて並ぶ状態でかつ開口部を操作パネルＰの存在側に向けた状態で、操作具６の外面から外方側に突出する状態で形成されている。
【００５４】
スイッチ操作部材１５の内周部における操作パネルＰの存在側の端部に、Ｕ字状の係合部６ｋに係合する係合突起１５ｋが設けられている。
また、図８及び図９に示すように、スイッチ操作部材１５における光入射面Ｎを形成する底壁部１５ｔと操作具６の後端部との間に、コイルスプリング１６が配設されている。
【００５５】
したがって、スイッチ操作部材１５は、操作具６に対して、コイルスプリング１６により操作パネルＰから離間する側に付勢され、かつ、係合突起１５ｋがＵ字状の係合部６ｋにおける操作パネルＰから離れる側の後端部に受止められる状態に装着され、且つ、コイルスプリング１６の付勢力に抗して、操作パネルＰの存在側に移動自在な状態に装着されている。
【００５６】
ちなみに、本実施形態においては、図８に示すように、環状の中間透光体１７（図１０参照）が、操作パネル側への移動を当該操作パネルＰの裏面との接当により位置規制される状態でパネル装着部Ｂｐに設けられている。
そして、図１０に示すように、Ｕ字状の係合部６ｋにおける操作パネルＰの存在側の端部が被受止部Ｕとして構成され、図８に示すように、被受止部Ｕが、操作具６の操作パネルＰの前方側への突出位置を規制すべく中間透光体１７にて受止められるように構成されている。
【００５７】
（点消火操作構成の詳細）
図５及び図６に示すように、後側基板１０Ｋには、スイッチ操作部材１５にて押圧操作されるスイッチ部としての点消火用スイッチ１８が設けられている。
本実施形態においては、図７に示すように、点消火用スイッチ１８が一つのスイッチ操作部材１５に対して一対設けられて、それら点消火用スイッチ１８が、スイッチ操作部材１５の底壁部１５ｔにて同時に操作されるように構成されている。
また、点消火用スイッチ１８の操作レバー１８ａが、操作具支持板１０を貫通して操作パネルＰの存在側に突出するように構成されている。
【００５８】
そして、操作具６が消火操作状態にあるときに、操作レバー１８ａがスイッチ操作部材１５の底壁部１５ｔにて押圧操作されて、点消火用スイッチ１８が開（オフ）になり、また、操作具６が燃焼操作状態にあるときに、スイッチ操作部材１５の底壁部１５ｔによる操作レバー１８ａに対する押圧操作が解除されて、点消火用スイッチ１８が閉（オン）になるように構成されている。
【００５９】
ちなみに、操作具６の消火操作状態においては、スイッチ操作部材１５の底壁部１５ｔが操作具支持板１０にて受止られることになり（図９参照）、また、操作具６の燃焼操作状態においては、スイッチ操作部材１５の底壁部１５ｔが操作具支持板１０から離間することになる（図８参照）。尚、消火操作状態において操作具６を押し込み操作したときには、コイルスプリング１６を弾性変形させながら、操作具６がスイッチ操作部材１５の内部側に移動することになる。
そして、点消火用スイッチ１８の開閉情報が運転制御部に伝えられて、上述の如く、コンロバーナ１の燃焼や消火が制御されるように構成されている。
【００６０】
（火力調節操作の詳細）
図５、図８及び図９に示すように、後側基板１０Ｋには、支持軸１３にて回転操作される火力調節用のロータリーエンコーダ１９が設けられている。
そして、火力調節用のロータリーエンコーダ１９が操作具６の正逆回転操作により操作されると、そのロータリーエンコーダ１９の情報が運転制御部に伝えられて、運転制御部が、コンロバーナ１に対する燃料供給量を増減調節することにより、コンロバーナ１の火力を強弱に制御するように構成されている。
【００６１】
ちなみに、本実施形態においては、高火力バーナ１Ａ及び標準バーナ１Ｂの火力が、７段階に変更調節され、小火力バーナ１Ｃの火力が、５段階に変更調節されるように構成されている。
【００６２】
（火力表示構成の詳細）
図２及び図３に示すように、操作パネルＰにおける挿通孔５の上方側箇所に、透明樹脂材にて棒状に形成された複数の火力表示用照射体２１が円弧状に並ぶ状態で設けられている。
つまり、高火力用操作具６Ａ及び標準用操作具６Ｂに対しては、７個の火力表示用照射体２１が並設され、小火力用操作具６Ｃに対しては、５個の火力表示用照射体２１が並設されている。
【００６３】
各操作具６に対して並設される複数の火力表示用照射体２１は、前面側の端面を化粧カバー体８から露出させる状態で化粧カバー体８に装着され（図２及び８参照）、且つ、パネル本体７に形成した火力表示部材装着孔２２（図１２参照）及びパネル装着部Ｂｐに形成した火力表示部材貫通孔２３（図３参照）を貫通する状態で設けられている。
【００６４】
ちなみに、図１１に示すように、小火力用操作具６Ｃに対して並設される５個の火力表示用照射体２１、並びに、高火力用操作具６Ａ及び標準用操作具６Ｂに対して並設される７個の火力表示用照射体２１のうちの中央側に位置する５個の火力表示用照射体２１が、円弧状の帯板部２１ａ（図８参照）にて接続された状態に一体成形され、その帯板部２１ａが化粧カバー体８の裏面に貼着される形態で、５個の火力表示用照射体２１が装着されている。
【００６５】
高火力用操作具６Ａ及び標準用操作具６Ｂに対して並設される７個の火力表示用照射体２１のうちの両端側に位置する２個の火力表示用照射体２１が、四角状の四角板部２１ｂを備える状態に成形され、その四角板部２１ｂが化粧カバー体８の裏面に貼着されている形態で、両端側に位置する２個の火力表示用照射体２１が装着されている。
【００６６】
また、図４に示すように、各火力表示用照射体２１の夫々に対応する複数の火力表示用発光ダイオード２４が、前側基板９に設けられている。これらの火力表示用発光ダイオード２４は、操作具６の火力の調節操作に伴って、運転制御部により点灯状態と消灯状態とに切換えられるように構成されている。
【００６７】
そして、火力表示用発光ダイオード２４が点灯状態になると、火力表示用照射体２１の後面から入射した光が火力表示用照射体２１の前面に導光されて、導光された光が火力表示用照射体２１の前面から照射される照射状態となり、火力表示用発光ダイオード２４が消灯状態になると、火力表示用照射体２１の前面からの照射が停止する非照射状態となるように構成されている。
【００６８】
（電源表示構成）
図２及び図３に示すように、操作パネルＰにおける電源スイッチ操作体１１の横側箇所に、透明樹脂材にて棒状に形成された電源表示用照射体２５が設けられている。
電源表示用照射体２５は、前面側の端面を化粧カバー体８から露出させる状態で化粧カバー体８に装着され、且つ、パネル本体７に形成した電源表示部材装着孔２６（図１２参照）及びパネル装着部Ｂｐに形成した電源表示部材貫通孔２７（図３参照）を貫通する状態で設けられている。
【００６９】
図１１に示すように、電源表示用照射体２５が、四角状の装着板部２５ｂを備える状態に成形され、その装着板部２５ｂが化粧カバー体８の裏面に貼着されている形態で、電源表示用照射体２５が装着されている。
【００７０】
また、図４に示すように、電源表示用照射体２５に対応する電源表示用発光ダイオード２８が、前側基板９に設けられている。この電源表示用発光ダイオード２８は、電源スイッチ１１Ｓの操作による電源の入切に伴って、運転制御部により点灯状態と消灯状態とに切換えられるように構成されている。
【００７１】
そして、電源表示用発光ダイオード２８が点灯状態になると、電源表示用照射体２５の後面から入射した光が電源表示用照射体２５の前面に導光されて、導光された光が電源表示用照射体２５の前面から照射される照射状態となり、電源表示用発光ダイオード２８が消灯状態になると、電源表示用照射体２５の前面からの照射が停止する非照射状態となるように構成されている。
【００７２】
（点消火用表示構成）
図５及び図７に示すように、後側基板１０Ｋにおけるスイッチ操作部材１５に対応する箇所に、燃焼表示用発光ダイオード２９（光源の一例）が設けられている。
本実施形態においては、図７に示すように、各操作具６のスイッチ操作部材１５の夫々に対して、複数（６個）の燃焼表示用発光ダイオード２９が、スイッチ操作部材１５の周方向に並ぶ状態で設けられている。
【００７３】
燃焼表示用発光ダイオード２９は、操作具６のコンロバーナ１に対する点消火操作により開閉操作される点消火用スイッチ１８の開閉に基づいて、運転制御部により点灯状態と消灯状態とに切換えられるように構成されている。
【００７４】
図２及び図３に示すように、燃焼表示用発光ダイオード２９からの光を操作パネルＰの前方側に透光する透光部Ｑを備える透光部形成部材３０が、挿通孔５の内周部に透光部Ｑを位置させる状態で操作パネルＰに設けられている。
また、操作具６の外周部に、透光部形成部材３０からの光を乱反射する乱反射部Ｒが設けられている。本実施形態においては、乱反射部Ｒが、ダイヤパターン（ダイヤモンドカット）に類似する凹凸面を操作具６の外周部に形成する形態に構成されている。
【００７５】
そして、図８に示すように、燃焼表示用発光ダイオード２９が点灯状態になると、当該燃焼表示用発光ダイオード２９からの光が、導光部材として機能するスイッチ操作部材１５及び中間透光体１７を経由して透光部形成部材３０に導かれ、透光部Ｑを通して操作パネルＰの前方側に照射される（透光される）ように構成されている。
また、透光部Ｑから照射された光が乱反射部Ｒにて乱反射されて、操作具６の外周部が明るく光る状態となるように構成されている。
【００７６】
図７〜図９に示すように、３個のスイッチ操作部材１５の上側部分を覆う円弧状の上覆い部３１ａを備える上側被覆体３１が、前側基板９と操作具支持板１０との間に配設されている。つまり、上側被覆体３１が、前側基板９の裏面に当て付けた状態で、前側基板９に止着されている（図４参照）。
また、３個のスイッチ操作部材１５の下側部分を覆う半円よりも大きな円弧状の下覆い部３２が、パネル装着部Ｂｐの裏面から後方側に延出される形態で操作部装着枠Ｂに形成されている。
【００７７】
したがって、３個のスイッチ操作部材１５の夫々の外周が、上覆い部３１ａと下覆い部３２とで囲まれることにより、３個のスイッチ操作部材１５の夫々に対応する燃焼表示用発光ダイオード２９からの光が、隣接する他のスイッチ操作部材１５に向けて漏れることを抑制するように構成されている。
【００７８】
（透光部形成部材の詳細）
図１３及び図１４に示すように、透光部形成部材３０が、スイッチ操作部材１５の光投射面Ｍからの光を透光する環状の透光部材としての環状部３０Ａ及び当該環状部３０Ａから径方向外方に延出する被支持部３０Ｂを備える形態に構成されている。
そして、透光部形成部材３０が、透光部Ｑとして機能する環状部３０Ａを挿通孔５の内周部に位置させ、かつ、被支持部３０Ｂをパネル本体７と化粧カバー体８との間に位置させる状態で操作パネルＰに設けられている。
【００７９】
図８、図９及び図１１に示すように、透光部形成部材３０の被支持部３０Ｂが、化粧カバー体８の裏面に貼着されている。
すなわち、図１１及び図１３に示すように、被支持部３０Ｂが、環状部３０Ａの周方向に分散配置される複数の舌片部Ｚにて構成され、環状部３０Ａの内周面に、操作具６の外周面を案内する複数の案内突起Ｖが環状部３０Ａの周方向に分散する状態で形成されている。
本実施形態においては、複数の舌片部Ｚとして、３つの舌片部Ｚが設けられ、複数の案内突起Ｖとして、８個の案内突起Ｖが、等間隔で周方向に並ぶ状態で設けられている。
【００８０】
図１１に示すように、化粧カバー体８の裏面に、複数（３つ）の舌片部Ｚを貼着する粘着性を有する複数（３つ）の貼着部Ｔが、環状部３０Ａの周方向に沿って舌片部Ｚの設定貼着位置に分散配置させる状態で設けられている。
ちなみに、この貼着部Ｔは、上述した装着用貼着部８ｓの一部として構成されるものであり、且つ、周方向に隣接する貼着部Ｔの間は、装着用貼着部８ｓが存在しない状態となっている。
【００８１】
説明を加えると、複数（３つ）の舌片部Ｚが、複数の火力表示用照射体２１の設置範囲を除いた範囲に、隣接する舌片部同士の間隔Ｌを異ならせる状態で環状部３０Ａの周方向に沿って配置されている。
本実施形態においては、３つの間隔Ｌのうちの２つの間隔Ｌを第１間隔Ｌａ（例えば、１１０度）にし、残る一つの間隔Ｌを第２間隔Ｌｂ（例えば、１４０度）にする形態に構成されている。つまり、本実施形態においては、複数（３つ）の舌片部Ｚが、複数の火力表示用照射体２１の設置範囲を除いた範囲に、隣接する舌片部同士の間隔Ｌの一部を異ならせる状態で環状部３０Ａの周方向に沿って配置されている。
ちなみに、第２間隔Ｌｂに対応する部分が、複数の火力表示用照射体２１の設置範囲に対応する部分である。
【００８２】
そして、複数（３つ）の貼着部Ｔが、舌片部Ｚの設定貼着位置として、透光部形成部材３０が適正な回転位相となるときにのみに３つの舌片部Ｚを全て貼着できる位置に設けられている。
したがって、透光部形成部材３０を化粧カバー体８に貼着する際に、透光部形成部材３０が適正な回転位相となるときにのみ、複数（３つ）の舌片部Ｚを化粧カバー体８の裏面に形成した複数（３つ）の貼着部Ｔに貼着させることができるものなる。
【００８３】
つまり、透光部形成部材３０を化粧カバー体８に貼着する際に、透光部形成部材３０の回転位相が適正な回転位相から外れていると、複数（３つ）の舌片部Ｚの全てと複数（３つ）の貼着部Ｔとを合致させることができないものとなり、透光部形成部材３０が適正な回転位相となるときにのみ、複数（３つ）舌片部Ｚと複数（３つ）の貼着部Ｔとを合致させることができる。
【００８４】
そして、透光部形成部材３０を適正な回転位相にて化粧カバー体８に貼着できるため、各操作具６の外周部の周方向に並ぶ案内突起Ｖの周方向での位相を、各操作具６の夫々に対して配置される透光部形成部材３０について同じ位相に揃えることができる。
その結果、各操作具６に対する透光部形成部材３０の複数（８つ）の案内突起Ｖにて操作具６の外周面を適正に案内することができ、各操作具６の操作パネルＰに対する設置状態を、同様な状態に揃えることができる。
【００８５】
また、図１３及び図１４に示すように、舌片部Ｚが、貼着部Ｔに対する適正向きのときに貼着部Ｔに接近することを許容すべく、化粧カバー体８のバーリング８ｂが係入する凹部Ｗを備え、かつ、貼着部Ｔに対する適正向きとは異なるときに、バーリング８ｂとの接当により貼着部Ｔに接近することを牽制する牽制部Ｙを備える形態に構成されている。
【００８６】
したがって、図１４に示すように、舌片部Ｚが貼着部Ｔに対する適正向きのときには、バーリング８ｂが凹部Ｗに係入することにより、舌片部Ｚを貼着部Ｔに当て付けて貼着することができる。
これに対して、図１５に示すように、舌片部Ｚが貼着部Ｔに対する適正向きとは異なるときには、牽制部Ｙがバーリング８ｂと接当することにより、舌片部Ｚを貼着部Ｔに近づけることができないため、舌片部Ｚが貼着部Ｔに対する適正向きとは異なることを知ることができる。
【００８７】
（換気扇連動構成）
図４に示すように、コンロバーナ１の燃焼状態において赤外線を投射する赤外線ランプ３３が、前側基板９に設けられている。
そして、図３に示すように、パネル装着部Ｂｐに、赤外線ランプ３３からの赤外線を操作パネルＰに向けて通過させる赤外線通過孔３４が形成されている。
さらに、図３及び図１２に示すように、パネル本体７に、赤外線を化粧カバー体８に向けて通過させる赤外線用開口部７ｄが形成され、図３及び図１１に示すように、化粧カバー体８に、赤外線を透過する樹脂材が設置された赤外線透過窓３５が形成されている。
【００８８】
また、運転制御部が、コンロバーナ１が燃焼状態になると赤外線ランプ３３を作動させることにより、赤外線ランプ３３からの赤外線が赤外線透過窓３５を通して操作パネルＰの前方側に照射されるように構成されている。
操作パネルＰの前方に照射された赤外線がガスコンロの前方に位置する調理作業者に反射して、ガスコンロの上部に配設された換気装置（換気扇）に設けた受信部にて受信されることにより、換気装置（換気扇）が換気作動するように構成されている。
【００８９】
〔別実施形態〕
以下、別実施形態を列記する。
【００９０】
（１）上記実施形態では、３つのコンロバーナ１を備えるガスコンロを加熱調理器として例示したが、２つのコンロバーナ１を備えるガスコンロにおける操作装置として本発明を適用してもよい。この場合には、２つのコンロバーナ１に対する２つの操作具６を装備する形態に構成する。
【００９１】
（２）上記実施形態では、バーナとしてのコンロバーナ１に対する操作装置として本発明を適用する場合を例示したが、例えば、バーナとしてのグリルバーナに対する操作装置として本発明を適用してもよい。
【００９２】
（３）上記実施形態では、操作具６の乱反射部Ｒとして、ダイヤモンドカット（ダイヤパターン）に類似する凹凸面を操作具６の外周部に形成する形態を例示したが、例えば、操作具６の外周部にローレットを加工して凹凸面を形成する等、乱反射部Ｒの具体構成は各種変更できる。
【００９３】
（４）上記実施形態では、透光部形成部材３０に、被支持部３０Ｂとして３つの舌片部Ｚを備えさせる場合を例示したが、舌片部Ｚの設置数は、２個や４個以上を備えさせる等、各種変更できる。
【００９４】
（５）上記実施形態では、被支持部３０Ｂとして３つの舌片部Ｚを備えさせる場合において、隣接する舌片部同士の間隔Ｌのうちの１つの第２間隔Ｌｂを他の２つの第１間隔Ｌａと異ならせる場合、つまり、隣接する舌片部同士の間隔Ｌのうちの一部の間隔Ｌを異ならせる場合を例示したが、舌片部同士の間隔Ｌの全てを異ならせるようする形態で、実施してもよい。
【００９５】
（６）上記実施形態では、操作具６の外周部に乱反射部Ｒを備えさせる形態を例示したが、乱反射部Ｒを省略する形態で実施してもよい。
【００９６】
（７）上記実施形態では、点消火用スイッチ１８が点火状態に操作されると、つまり、操作具６が燃焼状態に操作されると、直ちに、燃焼表示用発光ダイオード２９を点灯作動させる場合を例示したが、例えば、点消火用スイッチ１８が点火状態に操作された後、コンロバーナ１の着火が検出されたときに、燃焼表示用発光ダイオード２９を点灯作動させる形態で実施してもよい。
【００９７】
なお、上記実施形態（別実施形態を含む、以下同じ）で開示される構成は、矛盾が生じない限り、他の実施形態で開示される構成と組み合わせて適用することが可能であり、また、本明細書において開示された実施形態は例示であって、本発明の実施形態はこれに限定されず、本発明の目的を逸脱しない範囲内で適宜改変することが可能である。
【符号の説明】
【００９８】
１      バーナ
５      挿通孔
６      操作体
７      パネル本体
８      化粧カバー体
８ｂ    バーリング
１５    導光部材
１８    スイッチ部
２１    火力表示用照射体
２９    光源
３０    透光部形成部材
３０Ｂ  被支持部
Ｌ      間隔
Ｍ      光投射面
Ｎ      光入射面
Ｐ      操作パネル
Ｑ      透光部
Ｔ      貼着部
Ｖ      案内突起
Ｗ      凹部
Ｙ      牽制部
Ｚ      舌片部
【図１】
2020106197.tif 000003
【図２】
2020106197.tif 000004
【図３】
2020106197.tif 000005
【図４】
2020106197.tif 000006
【図５】
2020106197.tif 000007
【図６】
2020106197.tif 000008
【図７】
2020106197.tif 000009
【図８】
2020106197.tif 000010
【図９】
2020106197.tif 000011
【図１０】
2020106197.tif 000012
【図１１】
2020106197.tif 000013
【図１２】
2020106197.tif 000014
【図１３】
2020106197.tif 000015
【図１４】
2020106197.tif 000016
【図１５】
2020106197.tif 000017